(57)【特許請求の範囲】
【請求項１】
一枚のシート単体の任意の位置に、略楕円形状の長軸に相当する切込み線と、短軸の両端部に相当する位置に所定の幅の基部を残した略楕円形状の切込み線とで縁どられた、長軸で線対象形の二つの係止片が施され、
前記係止片の略楕円形状の短軸に相当する長さが、コンパクトディスク類の中央円孔の直径より僅かに小さく、長軸に相当する長さが、コンパクトディスク類の中央円孔の直径より僅かに大きいことを特徴とするコンパクトディスク類のホルダー。
【請求項２】
一枚のシートがその任意の位置より折り込まれ重ね合わされる一対の半片でなり、該一対の半片の一方の半片の略中央に、略楕円形状の長軸に相当する切込み線と、短軸の両端部に相当する位置に所定の幅の基部を残した略楕円形状の切込み線とで縁どられた、長軸で線対象形の二つの係止片が施され、
前記係止片の略楕円形状の短軸に相当する長さが、コンパクトディスク類の中央円孔の直径より僅かに小さく、長軸に相当する長さが、コンパクトディスク類の中央円孔の直径より僅かに大きいことを特徴とするコンパクトディスク類のホルダー。
【請求項３】
一枚のシートがその任意の位置より折り込まれ重ね合わされる一対の半片と、該一対の半片の一方の半片に、折込み線を介して連設し折り返され重ね合わせられる折返し片とでなり、該折返し片の、前記一方の半片の略中央に相当する位置に、略楕円形状の長軸に相当する切込み線と、短軸の両端部に相当する位置に所定の幅の基部を残した略楕円形状の切込み線とで縁どられた、長軸で線対象形の二つの係止片が施され、
前記係止片の略楕円形状の短軸に相当する長さが、コンパクトディスク類の中央円孔の直径より僅かに小さく、長軸に相当する長さが、コンパクトディスク類の中央円孔の直径より僅かに大きいことを特徴とするコンパクトディスク類のホルダー。
【請求項４】
前記二つの係止片をコンパクトディスク類の中央円孔に挿入し、一対の半片および／または折返し片を重ね合わせた状態で、少なくとも各半片は、コンパクトディスク類を覆う大きさであることを特徴とする請求項１〜３のいずれか１項に記載のコンパクトディスク類のホルダー。
【発明の詳細な説明】
【０００１】
【発明の属する技術分野】
本発明は、コンパクトディスク類を収納するホルダーに関するものであり、特にカタログやパンフレット等に添付を可能にする薄いコンパクトディスク類のホルダーに関する。
【０００２】
【従来の技術】
従来、コンパクトディスクを収納するケースとして、コンパクトディスクの中央の円孔を固定する透明なプラスチック製の本体と蓋からなるケースが一般的に使用されている。このケースの本体は、コンパクトディスクを固定する放射状切込みが施されている突起部を有し、それにコンパクトディスクの中央円孔を押し込んで固定し、また放射状切込みを押しつけることによってコンパクトディスクをケースから取り外せるようになっている。
【０００３】
しかしながら、この種のプラスチック製のケース（箱）では、ケースの固定部よりコンパクトディスク類が取り出し難かったり、ケースのコストが嵩むという問題があった。さらにカタログやパンフレットとともに配付したり送付したりする場合、このプラスチックケースでは、嵩張ることと、プラスチックであることからカタログ等との一体感がなく、また本の表紙や本文ページにコンパクトディスク類を添付する場合においても、嵩張ることと重量が増すなどの問題があった。
【０００４】
そこで上記プラスチックケースにおける種々の問題点を解消するものとして、例えば、特開平１０−２４５０８９号公報に開示されているように、扉のついた台紙の中心部の切り込みに、細長く打ち抜いて、５本の折り筋をいれて折り曲がるように加工したストッパー（突起物）を差込み、そのストッパーの両端部を台紙裏面にに糊付けし、このストッパー（突起物）にコンパクトディスクの中央の穴を差込み、そのストッパー（突起物）を上から押して畳むことによりコンパクトディスクを固定し、さらに扉を閉じることでストッパーを抑え込んで収納するものがある。
【０００５】
また、特開平９−９９９８９号公報に開示されているように、中央で折り畳まれる一対の台紙の一方の略中央部に、切れ線で縁取られた二つの係止片が設けられ、この係止片をコンパクトディスクの中央孔に挿入して、コンパクトディスク類を固定し、一対の台紙を折り畳んでコンパクトディスクを収納するものがある。
【０００６】
【発明が解決しようとする課題】
しかしながら、上記特開平１０−２４５０８９号公報に開示されている技術においては、台紙とは別工程の加工で得られる細長のストッパー（突起物）の作製と台紙への差込みおよび糊貼りという煩雑な工程を必要とするという製造コスト上の問題点があった。また上記特開平９−９９９８９号公報に開示されている技術においては、製造コストの問題はないが、二つの係止片をコンパクトディスクの中央孔への挿入に際し、台紙の裏面から二つの係止片を形成する切れ線内に２本の指を挿入して二つの係止片を起立させ、起立した係止片をコンパクトディスクの中央孔に挿入して保持固定するというように、特に係止片の起立に２本の指を挿入するといった煩わしさがあった。
【０００７】
本発明は、かかる従来技術の問題点を解決するものであり、その課題とするところは、コンパクトディスク類を収納するホルダーにおいて、そのホルダーにコンパクトディスクを容易に保持固定を可能にし、かつカタログやパンフレット等と一体感を持たせて配付や送付を可能にし、本などにコンパクトディスク類を添付する場合であっても大量に取扱いを可能にする嵩張らず軽く薄いコンパクトディスク類のホルダーを低コストで提供することにある。
【０００８】
【課題を解決するための手段】
本発明に於いて上記課題を達成するために、まず請求項１の発明では、一枚のシート単体の任意の位置に、略楕円形状の長軸に相当する切込み線と、短軸の両端部に相当する位置に所定の幅の基部を残した略楕円形状の切込み線とで縁どられた、長軸で線対象形の二つの係止片が施され、
前記係止片の略楕円形状の短軸に相当する長さが、コンパクトディスク類の中央円孔の直径より僅かに小さく、長軸に相当する長さが、コンパクトディスク類の中央円孔の直径より僅かに大きいことを特徴とするコンパクトディスク類のホルダーとしたものである。
【０００９】
また、請求項２の発明では、一枚のシートがその任意の位置より折り込まれ重ね合わされる一対の半片でなり、該一対の半片の一方の半片の略中央に、略楕円形状の長軸に相当する切込み線と、短軸の両端部に相当する位置に所定の幅の基部を残した略楕円形状の切込み線とで縁どられた、長軸で線対象形の二つの係止片が施され、
前記係止片の略楕円形状の短軸に相当する長さが、コンパクトディスク類の中央円孔の直径より僅かに小さく、長軸に相当する長さが、コンパクトディスク類の中央円孔の直径より僅かに大きいことを特徴とするコンパクトディスク類のホルダーとしたものである。
【００１０】
上記請求項１または２の発明によれば、一枚のシート単体に、あるいは任意の位置より折り込まれ重ね合わされる一対の半片でなる一枚のシートに、略楕円形状等の切込み線を施して係止片を設けるのみでコンパクトディスク類のホルダーとすることができるので、製造コストが嵩まず、かつ従来のプラスチックケースに比較して嵩張らず軽いコンパクトディスク類のホルダーを得ることができる。また、長軸で分割された略楕円形状等の切込み線で二つの係止片を形成したので、このコンパクトディスク類のホルダーへのコンパクトディスク類の装填は、この二つの係止片の長軸に相当する中央を、一枚のシート単体あるいは一方の半片の裏面から指を押し込むことで、簡単に二つの係止片を起立させ、容易にコンパクトディスク類の中央円孔に挿入固定することができる。さらに、コンパクトディスク類の中央円孔の大きさと係止片の大きさに差を付けることによって、コンパクトディスク類の中央円孔に係止片が、よりしっかりと挿入固定されるようにしたものである。
【００１１】
また、請求項３の発明では、一枚のシートがその任意の位置より折り込まれ重ね合わされる一対の半片と、該一対の半片の一方の半片に、折込み線を介して連設し折り返され重ね合わせられる折返し片とでなり、該折返し片の、前記一方の半片の略中央に相当する位置に、略楕円形状の長軸に相当する切込み線と、短軸の両端部に相当する位置に所定の幅の基部を残した略楕円形状の切込み線とで縁どられた、長軸で線対象形の二つの係止片が施され、
前記係止片の略楕円形状の短軸に相当する長さが、コンパクトディスク類の中央円孔の直径より僅かに小さく、長軸に相当する長さが、コンパクトディスク類の中央円孔の直径より僅かに大きいことを特徴とするコンパクトディスク類のホルダーとしたものである。
【００１２】
上記請求項３の発明によれば、任意の位置より折り込まれ重ね合わされる一対の半片でなる一枚のシートの一方の半片に、折込み線を介して連設し折り返され重ね合わせられる折返し片を設け、この折返し片に、略楕円形状等の切込み線でなる係止片を設けるものとすることによって、コンパクトディスク類は、この折返し片で包まれるようになり、より確実にコンパクトディスク類を保持固定するコンパクトディスク類のホルダーとすることができる。さらに、コンパクトディスク類の中央円孔の大きさと係止片の大きさに差を付けることによって、コンパクトディスク類の中央円孔に係止片が、よりしっかりと挿入固定されるようにしたものである。
【００１５】
また、請求項４の発明では、前記二つの係止片をコンパクトディスク類の中央円孔に挿入し、一枚のシート単体、一対の半片および／または折返し片を重ね合わせた状態で、少なくとも各半片は、コンパクトディスク類を覆う大きさであることを特徴とする請求項１〜３のいずれか１項に記載のコンパクトディスク類のホルダーとしたものである。
【００１６】
上記請求項４の発明によれば、一枚のシート単体あるいは一枚のシートで確実にコンパクトにコンパクトディスク類を覆い包むことのでき、カタログや本等への添付を容易にするコンパクトディスク類のホルダーとすることができる。
【００１７】
【発明の実施の形態】
以下本発明の実施の形態を説明する。
まず、本発明のコンパクトディスク類のホルダーは、図１の斜視図に示すように、例えば一枚の略正方形状のシート単体（５０）の略中央に、略楕円形状の長軸に相当する切込み線（１０）と、短軸の両端部に相当する位置に所定の幅の基部（２２）を残した略楕円形状の切込み線（１２）とで縁どられた、長軸で線対象形の二つの係止片（２０）が施されているコンパクトディスク類のホルダー（１）である。
【００１８】
また、本発明の他の形態のコンパクトディスク類のホルダーは、図３の斜視図に示すように、例えば、一枚のシートがその略中間部近傍の折り線（ｇ）より折り込まれ重ね合わされる一対の半片（５０ａ、５０ｂ）でなり、その一対の半片の一方の半片（５０ａ）の略中央に、略楕円形状の長軸に相当する切込み線（１０）と、略楕円形状の短軸の両端部に相当する位置に所定の幅の基部（２２）を残した略楕円形状の切込み線（１２）とで縁どられた、該長軸で線対象形の二つの係止片（２０）が施されているコンパクトディスク類のホルダー（１）である。
【００１９】
さらにまた、本発明の他の形態のコンパクトディスク類のホルダーは、図４の斜視図に示すように、例えば一枚のシートがその略中間部近傍より折り込まれ重ね合わされる一対の半片（５０ａ、５０ｂ）と、その一対の半片の一方の半片（５０ａ）に、折込み線（ｋ）を介して連設し折り返され重ね合わせられる折返し片（５２）とでなり、この折返し片（５２）の、前記一方の半片（５０ａ）の略中央に相当する位置に、略楕円形状の長軸に相当する切込み線（１０）と、短軸の両端部に相当する位置に所定の幅の基部（２２）を残した略楕円形状の切込み線（１２）とで縁どられた、長軸で線対象形の二つの係止片（２０）が施されているコンパクトディスク類のホルダー（１）である。
【００２０】
また本発明では、図５の拡大正面図に示すように、前記２つの係止片（２０）の略楕円形状の短軸に相当する長さ（Ｓ）が、コンパクトディスク類の中央円孔（４２）の直径（Ｒ）より僅かに小さく、略楕円形状の長軸に相当する長さ（Ｌ）が、コンパクトディスク類の中央円孔（４２）の直径（Ｒ）より僅かに大きくしたものである。このように、コンパクトディスク類の中央円孔（４２）と係止片（２０）のサイズに差を設けることによって、図６の拡大斜視図に示すように、起立され挿入された係止片（２０）が、コンパクトディスク類の中央円孔（４２）にしっかり固定され、係止片（２０）の楕円形状の長軸に相当する辺（１０ａ）が中央円孔（４２）から外れないようにすることができる。
【００２１】
また、本発明では、図７の斜視図に示すように、例えば一対の半片（５０ａ、５０ｂ）の一方の半片（５０ａ）に設けられた二つの係止片（２０）をコンパクトディスク類の中央円孔（４２）に挿入し、一対の半片（５０ａ、５０ｂ）を重ね合わせた状態で、少なくとも各半片（５０ａ、５０ｂ）は、コンパクトディスク類（４０）を覆う大きさであるコンパクトディスク類のホルダー（１）としたものであり、このことによって、この一対の半片（５０ａ、５０ｂ）でコンパクトディスク類（４０）を覆い保護することができ、カタログやパンフレットと一体感を持たせて配付等を可能にし、本等への添付でも嵩張ったり、重量が増したりせず運搬等取扱いが容易なコンパクトディスク類のホルダー（１）とすることができる。
【００２２】
また、本発明では、図８の斜視図に示すように、一対の半片（５０ａ、５０ｂ）の一方の半片（５０ａ）に連設する折返し片（５２）に設けられた二つの係止片（２０）をコンパクトディスク類（４０）の中央円孔（４２）に挿入し、一対の半片（５０ａ、５０ｂ）と折返し片（５２）を重ね合わせた状態で、少なくとも各半片（５０ａ、５０ｂ）は、コンパクトディスク類（４０）を覆う大きさであるコンパクトディスク類のホルダー（１）としたものであり、このことによって、この一対の半片（５０ａ、５０ｂ）と折返し片（５２）とでコンパクトディスク類（４０）をより確実に覆い保護することを可能にするコンパクトディスク類のホルダー（１）とすることができる。
【００２３】
なお上記折返し片（５２）を有するコンパクトディスク類のホルダーでは、例えば図８に示すように、一対の半片（５０ａ、５０ｂ）の中間部の折り線（ｇ）の中央に細長切り込み（５５）を設けて、コンパクトディスク類をホルダーに保持するに際し、コンパクトディスク類の周縁をこの細長切り込み（５５）に挿入してより確実に固定することもできる。
【００２４】
さらに本発明のコンパクトディスク類のホルダーの他の形態として、例えば図９の斜視図に示すように、中間部の折り線（ｇ）より折り込まれて重ね合わされる一対の半片（５０ａ、５０ｂ）の一方の半片（５０ａ）の略中央に二つの係止片（２０）を有するコンパクトディスク類のホルダー（１）の折り線（ｇ）部を背にして、その背と小冊子（５）の背とを貼着して小冊子付コンパクトディスク類のホルダーとすることもできる。
【００２５】
さらにまた、図１０の斜視図に示すように、例えば中間部の折り線（ｇ）より折り込まれて重ね合わされる一対の半片（５０ａ、５０ｂ）の一方の半片（５０ａ）に、折込み線（ｋ）を介して連設し折り返される折返し片（５２）の、該一方の半片（５０ａ）の略中央に相当する位置に、二つの係止片（２０）を有するコンパクトディスク類のホルダー（１）の折り線（ｇ）部を背にして、その背と小冊子（５）の背とを貼着して小冊子付コンパクトディスク類のホルダーとすることもできる。
【００２６】
以上のような本発明のコンパクトディスク類のホルダー（１）にコンパクトディスク類の装着は、例えば図７（ａ）のＢ−Ｂ面断面を表した図７（ｂ）の側断面図に示すように、一方の半片（５０ａ）の中央の二つの係止片（２０）に中央円孔（４２）を合わせるようにしてコンパクトディスク類（４０）を乗せ、この二つの係止片（２０）の中央を一方の半片（５０ａ）の裏面から指で押し込むことで、簡単に二つの係止片（２０）を起立させ、中央円孔（４２）に容易に挿入固定されるものである。
【００２７】
なお、図５に示すような略楕円形状の切込み線（１２）の両端に外カール切込み（１６）を施すこともできる。このような外カール切込み（１６）を設けることによって、係止片（２０）を起立し易くすることと、コンパクトディスク（４０）の中央円孔（４２）への挿入係止等で切込み線（１２）の両端部から裂けるなどがなく、何回でも使えるというメリットがある。
【００２８】
本発明のコンパクトディスク類のホルダー（１）のシートとしては、坪量１９０ｇ／ｍ2 〜２６０ｇ／ｍ2 程度のコートボール、コートマニラ、アイボリー等の板紙、アート紙、コート紙、上質紙等の洋紙などが挙げられ、その用途等によって適宜選定される。その用途によっては厚さ０．２〜０．３ｍｍ程度のプラスチックシートも用いることができる。
【００２９】
また、本発明のコンパクトディスク類のホルダー（１）に係わるコンパクトディスク類（４０）としては、一般的な１２ｃｍφのコンパクトディスクであって、このコンパクトディスク類のホルダー（１）は、８ｃｍφのミニコンパクトディスクにも共用することができるメリットを有するものである。
【００３０】
【発明の効果】
本発明は以上の構成であるから、下記に示す如き効果がある。
即ち、一枚の厚紙等でなるシート単体に、あるいは任意の位置より折り込まれ重ね合わされる一対の半片でなる一枚の厚紙等のシートに、略楕円形状等の切込み線を施して係止片を設けるのみでコンパクトディスク類のホルダーとすることができるので、製造コストが嵩まず、かつプラスチックケースのように容積が嵩張らず軽いコンパクトディスク類のホルダーを得ることができ、カタログやパンフレット等と一体感を持たせて配付や送付を可能にし、本の表紙や本文にコンパクトディスクを添付する場合であっても大量の取扱を可能にすることができる。また略楕円形状等の切込み線で二つの係止片を形成したので、このコンパクトディスク類のホルダーへのコンパクトディスク類の装着は、この二つの係止片の中央を、一方の半片の裏面から指で押し込むことで、簡単に二つの係止片を起立させ、中央円孔に挿入固定することができる。
【００３１】
また、中間部より折り込まれ重ね合わされる一対の半片でなる一枚のシートの一方の半片に、折込み線を介して連設し折り返され重ね合わせられる折返し片を設け、この折返し片に、係止片を設けるものとすることによって、コンパクトディスク類は、この折返し片で包まれるようになり、装着されるコンパクトディスク類の保持固定をより確実にするコンパクトディスク類のホルダーとすることができる。
【００３２】
また、コンパクトディスク類の中央円孔の大きさと係止片の大きさに差を付けることによって、コンパクトディスク類の中央円孔に係止片が、よりしっかりと挿入固定されるようにしたものである。
【００３３】
従って本発明は、コンパクトディスク類を収納するホルダーとして、特にパンフレットやカタログあるいは本などにも添付可能な薄型の紙製等のホルダーとして、優れた実用上の効果を発揮する。
【図面の簡単な説明】
【図１】本発明のコンパクトディスク類のホルダーの一実施の形態を説明するための斜視図である。
【図２】  本発明のコンパクトディスク類のホルダーにコンパクトディスク類を載置した一実施の形態を示す斜視図である。
【図３】本発明のコンパクトディスク類のホルダーの一実施の他の形態を説明するための斜視図である。
【図４】本発明のコンパクトディスク類のホルダーの一実施のさらに他の形態を説明するための斜視図である。
【図５】本発明のコンパクトディスク類のホルダーを構成する係止片の一形態を説明するための拡大平面図である。
【図６】本発明のコンパクトディスク類のホルダーを構成する係止片の実施の形態を説明するための拡大斜視図である。
【図７】本発明のコンパクトディスク類のホルダーにコンパクトディスク類を装填した一実施の形態を説明する図で、（ａ）は、その斜視図であり、（ｂ）は、（ａ）のＢ−Ｂ面断面図である。
【図８】本発明のコンパクトディスク類のホルダーにコンパクトディスク類を装填した一実施の他の形態を説明する斜視図である。
【図９】本発明のコンパクトディスク類のホルダーの他の一実施の形態を説明するための斜視図である。
【図１０】本発明のコンパクトディスク類のホルダーの他の一実施の形態を説明するための斜視図である。
【符号の説明】
１‥‥コンパクトディスク類のホルダー
５‥‥小冊子
１０‥‥略楕円形状の長軸に相当する切込み線
１０ａ‥‥略楕円形状の長軸に相当する辺
１２‥‥略楕円形状の切込み線
１６‥‥外カール切込み
２０‥‥係止片
２２‥‥基部
４０‥‥コンパクトディスク類
４２‥‥コンパクトディスク類の中央円孔
５０‥‥一枚のシート単体
５０ａ‥‥一方の半片
５０ｂ‥‥半片
５２‥‥折返し片
５５‥‥細長切込み
ｇ‥‥折り線
ｋ‥‥折込み線
Ｌ‥‥略楕円形状の長軸に相当する長さ
Ｒ‥‥中央円孔の直径
Ｓ‥‥略楕円形状の短軸に相当する長さ
【図１】
0004164991.tif 000002
【図２】
0004164991.tif 000003
【図３】
0004164991.tif 000004
【図４】
0004164991.tif 000005
【図５】
0004164991.tif 000006
【図６】
0004164991.tif 000007
【図７】
0004164991.tif 000008
【図８】
0004164991.tif 000009
【図９】
0004164991.tif 000010
【図１０】
0004164991.tif 000011